(57)【要約】      （修正有）【課題】織物のスピ−ド化による安価な有利性と、刺繍の複雑な表現による少量ロット化の有利性との、両方の長所を合わせ持つ刺繍入り金襴装飾布を提供する。【解決手段】金蘭織物またはゴブラン織物のジャガ−ド織地１に図柄の輪郭模様２，３，４，５を形成し、該輪郭模様内に各種色糸の刺繍縫いによる模様を施して組み合わした刺繍入り金襴装飾布１を構成するものである。【選択図】図１
0003152650.tif 000002
【実用新案登録請求の範囲】
【請求項１】
金蘭織物またはゴブラン織物のジャガ−ド織地に図柄の輪郭模様を形成し、該輪郭模様内に各種色糸の刺繍縫いによる模様を施して組み合わしたことを特徴とする刺繍入り金襴装飾布。
【請求項２】
図柄以外の織地内に、刺繍縫いを施して組み合わした請求項１記載の刺繍入り金襴装飾布。
【考案の詳細な説明】
【技術分野】
【０００１】
本考案は、金襴装飾布に係るものであり、さらに詳しくは、織地に刺繍を組み合わした金襴装飾布に関するものである。
【背景技術】
【０００２】
神社や寺院用として使用される布地としては、特に豪華な金襴装飾布が用いられている。これに使用される織物は、手織から機械織へと非常に進化し、この機械織での高度な商品作成が可能になり、価額を安くするために、ロットは大量になってきた。そのために、個性ある商品が出来にくくなってきている。一方、刺繍の方は、織物と比較すれば割高な点が欠点となっている。
【０００３】
そこで、織物のスピ−ド化による安価な有利性と、刺繍の複雑な表現による少量ロット化の有利性との、両方の長所を合わせ持つものが望まれている。
【０００４】
刺繍織物としては、各種の先行技術が提案されている（例えば、特許文献１、特許文献２、特許文献３）。
【特許文献１】特開２００５−３４４２５８号公報
【特許文献２】特開平９−１３２８８２号公報
【特許文献３】実開平６−６５４９３号公報
【０００５】
しかし、特許文献１は、刺繍部分を転写紙により、後染めする刺繍布の関するものである。また、特許文献２は、刺繍糸の繊維に、損傷を与えないように、加水分解する繊維を使用する刺繍用地織物に関するものである。そして、特許文献３は、平箔糸を使用して、模様を再現できるようにした刺繍織物であって、何れも要望を満たすものではない。
【考案の開示】
【考案が解決しようとする課題】
【０００６】
上記の事情に鑑み、本考案が解決しようとする問題点は、織物のスピ−ド化による安価な有利性と、刺繍の複雑な表現による少量ロット化の有利性との、両方の長所を合わせ持つ刺繍入り金襴装飾布の提供を課題とする。
【課題を解決するための手段】
【０００７】
上記課題を達成するために本考案は、金蘭織物またはゴブラン織物のジャガ−ド織地に図柄の輪郭模様を形成し、該輪郭模様内に各種色糸の刺繍縫いによる模様を施して組み合わした刺繍入り金襴装飾布を構成するものである。
金蘭織物は綾、繻子、紗等の地組み織に金糸などので文様を織り出した織物で、袈裟、能衣装、帯地、袋物、表装等に用いる。
ゴブラン織物は綴れ織の一種で、多くの色糸を緯糸に用い、小部分ずつ平織りにして製織するもので、壁掛けとして用いられてきたものである。
【考案の効果】
【０００８】
本考案は、安価に多品種の刺繍入り金襴装飾布を提供することができるようになった。
【０００９】
本考案の金襴装飾布は、各種色糸の刺繍糸を使用することにより、同じ図柄の輪郭模様を形成した織地を、違ったロットの品種へと変化させることができる。
【００１０】
本考案の装飾布は、特に寺院用の大型で価格の高い商品に適している。
【考案を実施するための最良の形態】
【００１１】
次に本考案の実施例を、以下図面に基づいて説明する。
【実施例１】
【００１２】
図１は、本考案の金襴装飾布の製造過程の途中の状態を示す織地の平面図である。図２は、本考案の一実施例を示す金襴装飾布の平面図である。
【００１３】
図１は、本考案の金襴装飾布の製造過程の途中の状態を示す織地の平面図である。織地１は、金蘭織物またはゴブラン織物のジャガ−ド織地であって、織地に図柄の輪郭模様を形成している。その図柄は、中央には無地の花柄２を有し、その花柄２には長い茎の葉３を、そしてその周りには菊の花４と、その葉５を形成している。また無地の花柄２以外の模様は、輪郭模様内を黄色の色糸で構成している。
【００１４】
図２は、図１の織地に刺繍縫いを施した、本考案の一実施例を示す金襴装飾布１１である。花柄の輪郭模様内には、空色濃淡の刺繍縫い１２を、長い茎の葉の輪郭模様には、濃い緑色の縁取りの刺繍縫い１３を施している。そして、その周りの菊の花の輪郭模様内には、芯と縁取りに赤色糸の刺繍縫い１４を施し、その葉には緑色糸の刺繍縫い１５の筋を入れている。
【００１５】
このように、柄部分を織地１で織り上げて、その輪郭模様内に、各種色糸の刺繍縫いによる繊細な色模様１２，１３，１４，１５を施して組み合わせることにより、豪華な刺繍入り金襴装飾布１１となっている。
【実施例２】
【００１６】
図３は、本考案の別の実施例を示す装飾布の平面図である。
【００１７】
実施例１と同じ図１の織地を使用する。図１と同様に、織地１は、金蘭織物またはゴブラン織物のジャガ−ド織地であって、図柄の輪郭模様を形成している。その図柄は、中央には無地の花柄２を有し、その花柄２には長い茎の葉３を、そしてその周りには、菊の花４と、その葉５を形成している。また無地の花柄２以外の模様は、輪郭模様内を黄色の色糸で形成している。
【００１８】
図３は、図１の織地に刺繍縫いを施した、本考案の別の実施例を示す金襴装飾布２１である。花柄の輪郭模様内には、エンジ灰色の刺繍縫い２２を、長い茎の葉の輪郭模様には、同じく濃い緑色の縁取りの刺繍縫い２３を施している。そして、その周りの菊の花の輪郭模様内には、芯には赤色糸を縁取りには空色糸の刺繍縫い２４を施し、その葉には緑色の刺繍縫い２５の筋を入れている。
【００１９】
そしてこの実施例の場合、さらに図１の図柄以外の織地６内に、空色の三ッ葉２６を散りばめている。このように、柄部分を織地１で織り上げて、その織地１の輪郭模様内に、各種色糸の刺繍縫いによる模様２２，２３，２４，２５，２６と、図柄以外の織地内にも新たな刺繍縫いを施して組み合わせることにより、実施例１の装飾布とは違った感じの、豪華な刺繍入り金襴装飾布２１が出来上がっている。
【産業上の利用可能性】
【００２０】
本考案の金襴装飾布は、多品種の装飾布を、大量にしかも安価に提供できるようになったものであって、神社や寺院用に使用される布地以外にも、広く利用しうるものである。
【図面の簡単な説明】
【００２１】
【図１】本考案の、金襴装飾布の製造過程の途中の状態を示す織地の平面図である。
【図２】本考案の一実施例を示す金襴装飾布の平面図である。
【図３】本考案の別の実施例を示す金襴装飾布の平面図である。
【符号の説明】
【００２２】
１          織地    
２          中央の花柄      
３          長い茎の葉
４          菊の花
５          菊の花の葉
６          図柄以外の織地
１１，２１  金襴装飾布
１２，２２  中央の花柄の刺繍      
１３，２３  長い茎の葉の刺繍
１４，２４  菊の花の刺繍
１５，２５  菊の花の葉の刺繍
２６        図柄以外の織地の刺繍
【図１】
0003152650.tif 000003
【図２】
0003152650.tif 000004
【図３】
0003152650.tif 000005